(57)【要約】【課題】当該電子機器の電源状態を制御する外部装置との通信ができない通信不可状態が生じた場合における無駄な電力消費を防止することのできる電子機器を提供すること。【解決手段】外部装置との通信経路の切断或いは通信異常による通信不可状態が検知されたことを条件に（Ｓ７のＹｅｓ側），前記外部装置からの指示により当該電子機器の電源状態が変動されてから所定の条件が充足された後（Ｓ９のＹｅｓ側），当該電子機器の電源状態を自動的に変動させる（Ｓ１２）。【選択図】図２
2007110358.tif 000002
【特許請求の範囲】
【請求項１】
ＩＥＥＥ１３９４規格に準拠した通信方式により外部装置によって動作が制御される電子機器であって，
前記外部装置との通信経路の切断或いは通信異常による通信不可状態を検知する通信不可状態検知手段と，
前記通信不可状態検知手段により前記通信不可状態が検知されたことを条件に，前記外部装置からの指示により当該電子機器の電源状態が変動されてから所定の条件が充足された後，当該電子機器の電源状態を自動的に変動させる電源状態自動変動手段と，
を備えてなることを特徴とする電子機器。
【請求項２】
前記電源状態自動変動手段が，当該電子機器の電源の入切を切り替えるものである請求項１に記載の電子機器。
【請求項３】
前記電源状態自動変動手段が，当該電子機器の通常動作モードと省電力動作モードとを切り替えるものである請求項１に記載の電子機器。
【請求項４】
前記所定の条件が，前記外部装置からの指示により当該電子機器の電源状態が変動されてから所定の時間が経過することである請求項１〜３のいずれかに記載の電子機器。
【請求項５】
テレビジョン放送を受信するテレビジョン放送受信手段と，
前記テレビジョン放送の電子番組情報を取得する電子番組情報取得手段と，
前記電子番組情報取得手段により取得された電子番組情報に基づいて前記放送受信手段により受信中のテレビジョン放送の番組を識別する番組識別手段と，
を更に備えてなり，
前記所定の条件が，前記番組識別手段によって識別されたテレビジョン放送の番組の終了である請求項１〜３のいずれかに記載の電子機器。
【請求項６】
前記電源状態自動変動手段により当該電子機器の電源状態が変動されたことに関する変動情報を記憶する変動情報記憶手段と，
前記変動情報記憶手段に記憶された前記変動情報を所定の表示手段に出力する変動情報出力手段と，
を更に備えてなる請求項１〜５のいずれかに記載の電子機器。
【請求項７】
所定の操作入力により当該電子機器の電源状態を変動させる状態手動変動手段を更に備えてなり，
前記変動情報出力手段が，前記状態手動変動手段により当該電子機器の電源状態が変動された場合に，前記変動情報を前記所定の表示手段に出力するものである請求項６に記載の電子機器。
【請求項８】
前記変動情報が，前記電源状態自動変動手段により当該電子機器の電源状態が変動されたこと，該変動時刻，該変動時の前記所定の番組の内容，前記通信不可状態検知手段により通信不可状態が検知されたこと，該検知時刻，該検知時の前記所定の番組の内容のいずれか一又は複数の情報を含んでなる請求項６又は７のいずれかに記載の電子機器。
【発明の詳細な説明】
【技術分野】
【０００１】
本発明は，ＩＥＥＥ１３９４規格に準拠した通信方式により外部装置によって動作が制御される電子機器に関し，特に，当該電子機器における電源状態の制御処理に関するものである。
【背景技術】
【０００２】
テレビジョン放送や画像，音楽などの各種の情報を記録・再生する機能を有するハードディスクレコーダーやＤＶＤレコーダー，ビデオテープレコーダー等の各種のレコーダー（電子機器の一例）がある。このレコーダーは，前記各種の情報の記録処理や再生処理などを実行する通常動作モードと，該通常動作モードよりも消費電力を省減した省電力動作モードと，を有している。なお，前記省電力動作モードとは，例えば，装置の動作を制御する制御部を除くハードディスクや表示パネルなどの電子機器の電源が切られた状態をいう。
一方，ＩＥＥＥ１３９４規格に準拠した通信方式（例えば，特許文献１参照）で前記レコーダーと通信可能に接続された外部装置によって，該レコーダーの電源状態を制御する技術が周知である。例えば，前記外部装置から前記レコーダーに送信される制御信号に従って，該レコーダーの通常動作モードと省電力動作モードとが切り替えられる。
【０００３】
具体的には，前記レコーダーが，デジタルテレビジョン放送を受信するためのデジタルチューナーを備えていない場合に，該レコーダーに前記デジタルチューナーを備えたデジタルチューナー装置（外部装置の一例，以下「チューナー装置」と略称する）がＩＥＥＥ１３９４規格に準拠した通信方式でケーブル接続されることがある。これにより，前記レコーダーでは，前記チューナー装置からＩＥＥＥ１３９４規格に準拠した通信方式で伝送される前記デジタルテレビジョン放送を記録することが可能となる。
そして，前記レコーダーでは，前記チューナー装置において使用者によって録画する番組が指定されることにより該番組の開始時間に前記外部装置から送信される録画開始指示に従って録画が開始され，その番組の終了時間に前記チューナー装置から送信される録画終了指示に従って録画が終了される。なお，使用者による番組の指定は，例えば前記チューナー装置において取得される電子番組データに基づく電子番組表（ＥＰＧ）に従って行われる。
また，前記チューナー装置から前記レコーダーに前記録画開始指示が送信される際には，前記レコーダーが省電力動作モードである場合にその動作モードを通常動作モードに切り替えるための電源入り指令が送信される。これにより，前記レコーダーが省電力動作モードであっても，前記電源入り指令によって動作モードが通常動作モードに切り替えられることにより，前記番組の録画が可能な状態となる。
一方，前記チューナー装置から前記レコーダーに前記録画終了指示が送信される際には，前記レコーダーの動作モードを省電力動作モードに切り替えるための電源切り指令が送信される。これにより，前記レコーダーでは，前記電源切り指令によって動作モードが省電力動作モードに切り替えられる。
【特許文献１】特開２００２−７７１８２号公報
【発明の開示】
【発明が解決しようとする課題】
【０００４】
しかしながら，前記チューナー装置から前記レコーダーに前記電源入り指令が送信されて該レコーダーの動作モードが省電力動作モードから通常動作モードに切り替えられた後，前記レコーダーと前記チューナー装置とを接続するケーブルが抜けて通信ができない通信不可状態が生じた場合などには，前記チューナー装置から前記レコーダーに前記電源切り指令がいつまでも送信されないため，前記通常動作モードが継続されて前記レコーダーで無駄に電力が消費されるという問題が生じる。
従って，本発明は上記事情に鑑みてなされたものであり，その目的とするところは，当該電子機器の電源状態を制御する外部装置との通信ができない通信不可状態が生じた場合における無駄な電力消費を防止することのできる電子機器を提供することにある。
【課題を解決するための手段】
【０００５】
上記目的を達成するために本発明は，ＩＥＥＥ１３９４規格に準拠した通信方式により外部装置によって動作が制御される電子機器に適用されるものであって，前記外部装置との通信経路の切断或いは通信異常による通信不可状態が検知されたことを条件に，前記外部装置からの指示により当該電子機器の電源状態が変動されてから所定の条件が充足された後，当該電子機器の電源状態を自動的に変動させることを特徴とする電子機器として構成される。
より具体的には，当該電子機器の電源の入切を切り替えることや，当該電子機器の通常動作モードと省電力動作モードとを切り替えることが考えられる。
このような構成によれば，前記外部装置との通信経路の切断や通信異常などによる通信不可状態が生じて，前記外部装置から前記電源状態を変動させるための指示が正常になされない場合であっても，その通信不可状態が検知され，前記所定の条件が充足されると，当該電子機器の電源状態が自動的に変動される。具体的には，前記電子機器の電源が自動的に切られることや省電力動作モードに自動的に切り替えられることにより，前記電子機器の電源入状態の継続や通常動作モードの継続による無駄な電力消費を防止することができる。
ここで，前記所定の条件とは，例えば前記外部装置からの指示により当該電子機器の電源状態が変動されてから所定の時間が経過することである。これにより，前記所定の時間を超える無駄な電力消費を防止することができる。
【０００６】
また，前記電子機器が，テレビジョン放送を受信するテレビジョン放送受信手段と，前記テレビジョン放送の電子番組情報を取得する電子番組情報取得手段と，前記電子番組情報取得手段により取得された電子番組情報に基づいて前記放送受信手段により受信中のテレビジョン放送の番組を識別する番組識別手段と，を更に備える場合には，前記所定の条件を，前記番組識別手段によって識別されたテレビジョン放送の番組の終了とすることが望ましい。
この構成によれば，前記電子機器において録画中の番組が終了するまでは変動された前記電子機器の電源状態を継続し，その番組が終了した後で前記電子機器の電源状態が変動されるため，例えば一時的に前記通信不可状態が生じて復旧した場合や，前記通信不可状態が誤検知された場合などに好適である。しかも，前記電子機器の電源状態を番組終了後に自動的に変動させることにより，余分な電力消費を極力低減することができる。
【０００７】
また，当該電子機器の電源状態が自動的に変動されたことに関する変動情報を記憶しておき，該変動情報を所定の表示手段に出力することが望ましい。これにより，使用者は，前記変動情報を参照することによって，前記電子機器において前記外部装置との通信不可状態が生じたために該電子機器の電源状態が自動的に変動されたこと等を容易に知得することができる。
このとき，前記変動情報は，使用者が参照可能である場合にのみ表示すればよいため，使用者による所定の操作入力により当該電子機器の電源状態を変動させる状態手動変動手段によって当該電子機器の電源状態が変動された場合に，前記変動情報を前記所定の表示手段に出力すればよい。
ここで，前記変動情報は，例えば当該電子機器の電源状態が自動的に変動されたこと，該変動時刻，該変動時の前記所定の番組の内容，前記通信不可状態が検知されたこと，該検知時刻，該検知時の前記所定の番組の内容のいずれか一又は複数の情報を含んでなることが考えられる。
【発明の効果】
【０００８】
本発明によれば，前記外部装置との通信経路の切断や通信異常などによる通信不可状態が生じて，前記外部装置から前記電源状態を変動させるための指示が正常になされない場合であっても，その通信不可状態が検知され，前記所定の条件が充足されると，当該電子機器の電源状態が自動的に変動される。具体的には，前記電子機器の電源が自動的に切られることや省電力動作モードに自動的に切り替えられることにより，前記電子機器の電源入状態の継続や通常動作モードの継続による無駄な電力消費を防止することができる。
また，当該電子機器の電源状態が自動的に変動されたことに関する変動情報を記憶しておき，該変動情報を所定の表示手段に出力することにより，使用者は，前記変動情報を参照することによって，前記電子機器において前記外部装置との通信不可状態が生じたために該電子機器の電源状態が自動的に変動されたこと等を容易に知得することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るハードディスクレコーダーＸを備えたテレビジョン放送録画システムＡの概略構成を示すブロック図，図２は前記ハードディスクレコーダーＸにおいて実行される電源制御処理の手順の一例を説明するフローチャートである。
まず，図１を用いて，本発明の実施の形態に係るハードディスクレコーダーＸ（電子機器の一例，以下「レコーダーＸ」と略称する）を備えたテレビジョン放送録画システムＡ（以下「システムＡ」と略称する）の概略構成について説明する。
図１に示すように，前記システムＡは，大別するとデジタルテレビジョン放送を受信するためのデジタルチューナー１１を備えたデジタルチューナー装置Ｙ（以下，「チューナー装置Ｙ」と略称する）と，ケーブル４を介してＩＥＥＥ１３９４規格に準拠した通信方式で該チューナー装置Ｙと通信可能に接続されたレコーダーＸと，を備えて構成されている。このように構成されたシステムＡでは，前記チューナー装置Ｙから前記レコーダーＸに，前記ケーブル４を介して前記デジタルテレビジョン放送データが伝送されることにより，該レコーダーＸにおいて該デジタルテレビジョン放送の記録が可能である。なお，前記チューナー装置Ｙは，不図示のテレビジョン受像機に設けられたものであってもよい。即ち，前記システムＡを前記レコーダーＸと前記チューナー装置Ｙを備えたテレビジョン装置とで構成されたシステムとして捉えてもかまわない。
【００１０】
ここで，前記チューナー装置Ｙの概略構成について説明する。
前記チューナー装置Ｙは，デジタルテレビジョン放送を受信するためのデジタルチューナー１１と，前記デジタルチューナー１１によって受信されたデジタルテレビジョン放送に含まれたデータを映像や音声，電子番組情報（ＥＰＧ）などのデータに分離するデータ分離部１２と，前記データ分離部１２によって分離された各種のデータを復元するシステムデコーダー１３と，ＩＥＥＥ１３９４規格に準拠した通信方式で外部機器と通信を行うためのＩＥＥＥ１３９４インターフェース１４（以下「Ｉ／Ｆ１４」と略称する）と，ＣＰＵやＲＡＭなどを有してなり当該チューナー装置Ｙを統括的に制御するマイコン１５と，を備えて概略構成されている。なお，前記チューナー装置Ｙは，図１に示す他に，通常のデジタルチューナー装置が備える他の構成要素も備えるが，ここでは説明を省略する。
前記チューナー装置Ｙでは，前記デジタルチューナー１１，前記データ分離部１２及びシステムデコーダー１３によって，前記デジタルテレビジョン放送及び前記電子番組情報が取得される。ここに，前記デジタルチューナー１１，前記データ分離部１２及びシステムデコーダー１３が，テレビジョン放送受信手段及び電子番組情報取得手段に相当する。
また，前記チューナー装置Ｙは，従来装置と同様に，使用者による不図示の操作部への操作入力により前記電子番組情報に従って指定された番組の録画を前記レコーダーＸに実行させる機能を有している。具体的には，前述したように，前記番組の録画開始時に前記レコーダーＸに電源入り指令及び録画開始指示を送信し，録画終了時に前記レコーダーＸに録画終了指示及び電源切り指令を送信する。
【００１１】
次に，前記レコーダーＸの概略構成について説明する。
前記レコーダーＸは，ＩＥＥＥ１３９４規格に準拠した通信方式で外部装置と通信を行うためのＩＥＥＥ１３９４インターフェース２１（以下「Ｉ／Ｆ２１」と略称する）と，前記Ｉ／Ｆ２１で受信されたデジタルテレビジョン放送などを記録するハードディスク２２と，後述する検知時刻や変動時刻などの各種のデータを記憶するデータ記憶部２３と，現在時刻を計時すると共に所定の時点からの経過時間を計時する計時装置２４と，後述する変動情報などの各種の情報を表示する表示パネル２５と，ＣＰＵやＲＡＭなどを有してなり当該レコーダーＸを統括的に制御するマイコン２６と，前記構成要素各々への電源の供給を制御する電源制御部２７と，を備えて概略構成されている。なお，前記レコーダーＸは，図１に示す他に，通常のハードディスクレコーダーが備える他の構成要素も備えるが，ここでは説明を省略する。
このように構成された前記レコーダーＸは，前記チューナー装置Ｙから受信された前記録画開始指示に従って，前記Ｉ／Ｆ２１で受信されたデジタルテレビジョン放送を前記ハードディスク２２に記録する録画処理を実行し，前記録画終了指示に従って前記録画処理を終了する。
【００１２】
また，前記レコーダーＸは，前記ハードディスク２２や前記表示パネル２５などに電源を投入する通常動作モードと，前記ハードディスク２２や前記表示パネル２５などの電源を切って消費電力を省減する省電力動作モードとを有している。そして，前記レコーダーＸでは，前記チューナー装置Ｙから送信される前記電源入り指令に従って，省電力動作モードから通常動作モードに切り替えられ，前記電源切り指令に従って通常動作モードから省電力動作モードに切り替えられる。
従来では，前記電源入り指令の受信によって前記レコーダーＸの動作モードが通常動作モードに切り替えられた後，前記電源切り指令が受信されない限り前記レコーダーＸでは通常動作モードが維持されるため，前記チューナー装置Ｙとの通信ができない状態が生じた場合，即ち，前記電源切り指令の受信ができない状態が生じた場合に，無駄に電力を消費することが問題であった。
しかし，本発明の実施の形態に係る前記レコーダーＸでは，前記チューナー装置Ｙから前記電源切り指令が受信されなくとも，所定の条件を充足すれば，該レコーダーＸの動作モードが自動的に切り替えられる。
【００１３】
以下，図２のフローチャートに従って，前記レコーダーＸにおいて前記マイコン２６によって実行される電源制御処理の手順の一例について説明する。ここに，図２中のＳ１，Ｓ２，…は処理手順（ステップ）の番号を表している。なお，以下の電源制御処理は，前記レコーダーＸが省電力動作モードで待機しているときに実行される。
まず，ステップＳ１では，電源入り指令が入力されたか否かが前記マイコン２６により判断される。具体的には，前記チューナー装置Ｙから前記ケーブル４を介して電源入り指令が受信されたか否か，或いは使用者による当該レコーダーＸへの所定の操作入力により電源入り指令が入力されたか否かが判断される。前記ステップＳ１の処理は，前記電源入り指令が入力されるまで繰り返し実行され（Ｓ１のＮｏ側），前記電源入り指令が入力されたと判断されると（Ｓ１のＹｅｓ側），処理はステップＳ２に移行する。
【００１４】
そして，ステップＳ２では，前記マイコン２６によって前記レコーダーＸの動作モードが省電力動作モードから通常動作モードに切り替えられる。具体的には，前記マイコン２６によって前記電源制御部２７が制御されることにより，該電源制御部２７によって前記ハードディスク２２や前記表示パネル２５などに電源が投入される。
【００１５】
続くステップＳ３では，前記電源入り指令が，前記チューナー装置Ｙから受信されたものであるか，使用者による所定の操作入力によって入力されたものであるかが前記マイコン２６によって判断される。
ここで，前記電源入り指令が，前記チューナー装置Ｙから受信されたものであると判断された場合（Ｓ３のＹｅｓ側）は，処理はステップＳ４に移行する。一方，前記電源入り指令が，使用者による所定の操作入力によって入力されたものであると判断された場合（Ｓ３のＮｏ側）は，処理はステップＳ２１に移行する。ここに，使用者による当該レコーダーＸへの所定の操作入力により電源入り指令が入力されたときに，前記レコーダーＸの動作モードを省電力動作モードから通常動作モードに切り替える処理（Ｓ２）を実行するときの前記マイコン２６が，状態手動変動手段に相当する。なお，ステップＳ２１以降の処理については後段で説明する。
【００１６】
そして，ステップＳ４では，前記マイコン２６によって前記計時装置２４が制御されることにより，該計時装置２４による時間の計時が開始される。これにより，当該レコーダーＸの動作モードが省電力動作モードから通常動作モードに切り替えられてからの時間，即ち当該レコーダーＸの電源状態が変動されてからの時間の計時が開始される。
【００１７】
その後，ステップＳ５では，前記チューナー装置Ｙから電源切り指令が入力されたか否かが判断される。
ここで，前記電源切り指令が入力されたと判断された場合（Ｓ５のＹｅｓ側）には，処理はステップＳ１２に移行し，前記マイコン２６によって前記電源制御部２７が制御されることにより，前記レコーダーＸの動作モードが通常動作モードから省電力動作モードに切り替えられた後，処理は前記ステップＳ１に戻り当該電源制御処理が繰り返し実行される。
一方，前記電源切り指令が入力されていないと判断されている場合（Ｓ５のＮｏ側）には，処理はステップＳ６に移行する。
【００１８】
ステップＳ６では，前記レコーダーＸと前記チューナー装置Ｙとの間の通信状態に不具合が生じているか否かが前記マイコン２６によって判断される。具体的には，前記マイコン２６において，前記チューナー装置Ｙとの通信に不具合が生じたときに発生するバスリセット信号の有無に基づいて判断される。なお，前記バスリセット信号は，前記チューナー装置Ｙとの通信の不具合が，ＩＥＥＥ１３９４規格に準拠した通信方式で通信を行う前記Ｉ／Ｆ２１によって検知された場合に，該Ｉ／Ｆ２１から前記マイコン２６に入力される。
ここで，前記チューナー装置Ｙとの通信に不具合が生じていない場合（Ｓ６のＮｏ側）は，処理は前記ステップＳ５に移行し，前記チューナー装置Ｙとの通信に不具合が生じていると判断された場合（Ｓ６のＹｅｓ側）には，処理はステップＳ７に移行する。
【００１９】
そして，ステップＳ７では，前記レコーダーＸと前記チューナー装置Ｙとの間で通信ができない通信不可状態が生じているか否かが前記マイコン２６によって判断される。具体的には，前記レコーダーＸと前記チューナー装置Ｙとが前記ケーブル４によって正常に接続されていないことが前記Ｉ／Ｆ２１によって検知された場合に，該Ｉ／Ｆ２１から前記マイコン２６に入力される通信不可状態信号に基づいて前記通信不可状態の発生の有無が判断される。ここに，前記通信不可状態を検出するときの前記Ｉ／Ｆ２１が通信不可状態検知手段に相当する。
ここで，前記通信不可状態が生じていると判断された場合（Ｓ７のＹｅｓ側）には，処理はステップＳ８に移行するが，前記通信不可状態が生じていないと判断されている場合（Ｓ７のＮｏ側）には，処理はステップＳ５に移行する。ここでは，前記ケーブル４が抜けたことにより前記レコーダーＸと前記チューナー装置Ｙとの通信接続が切られたと仮定する。したがって，処理はステップＳ８に移行する。なお，本実施の形態では，前記レコーダーＸと前記チューナー装置Ｙとが前記ケーブル４によって接続されている例について述べたが，前記レコーダーＸと前記チューナー装置Ｙとが無線通信によって通信可能に接続される構成も他の実施例として考えられる。
【００２０】
ステップＳ８では，前記マイコン２６によって前記計時装置２４から現在時刻が読み出され，前記通知不可状態の検知時間として前記データ記憶部２３に記憶される。
続くステップＳ９では，前記ステップＳ４において前記計時装置２４により開始された計時が所定の時間以上となったか否かが前記マイコン２６によって判断される。ここに，前記所定の時間は，前記レコーダーＸにおいて初期設定されるものであってもよく，また使用者によって任意に設定されるものであってもよい。
ここで，前記計時が所定の時間未満であると判断された場合（Ｓ９のＮｏ側）には，処理は前記ステップＳ１０に移行し，前記計時が所定の時間以上であると判断された場合（Ｓ９のＹｅｓ側）には，処理はステップＳ１１に移行する。
【００２１】
ステップＳ１０では，前記チューナー装置Ｙから前記電源切り指令が受信されたか否かが前記マイコン２６によって判断される。このように，前記ケーブル４の切断が検知された後も，前記チューナー装置Ｙからの前記電源切り指令の受信を継続して監視することにより，前記ケーブル４の接続が復旧された場合に対応することができる。
ここで，前記電源切り指令が受信されたと判断された場合（Ｓ１０のＹｅｓ側）には，処理は前記ステップＳ１２に移行して，前記マイコン２６によって前記電源制御部２７が制御されることにより，前記レコーダーＸの動作モードが通常動作モードから省電力動作モードに切り替えられた後，処理は前記ステップＳ１に戻る。一方，前記電源切り指令が受信されていないと判断されている場合（Ｓ１０のＮｏ側）には，処理は前記ステップＳ９に移行する。
【００２２】
一方，前記ステップＳ９において前記計時が所定の時間以上であると判断された場合に実行されるステップＳ１１では，前記マイコン２６により前記計時装置２４から読み出された現在時刻が，前記マイコン２６によって前記データ記憶部２３に記憶される。このときの現在時刻は，後述するステップＳ１２において当該レコーダーＸの電源状態が自動的に変動された変動時刻として記憶される。ここに，前記検知時刻や前記変動時刻が，当該電源制御処理において前記レコーダーＸの動作モードが変動されたことに関する変動情報に相当し，該変動情報を記憶する前記データ記憶部２３が変動情報記憶手段に相当する。
【００２３】
ステップＳ１２では，前記マイコン２６によって前記電源制御部２７が制御されることにより，前記レコーダーＸの動作モードが通常動作モードから省電力動作モードに切り替えられる。その後，処理は前記ステップＳ１に戻る。
このように，前記レコーダーＸでは，前記ステップＳ７において前記通信不可状態が生じて前記電源切り指令が受信されなくとも，前記ステップＳ２で動作モードが通常動作モードに切り替えられてから前記所定の時間が経過するという条件が充足された場合には，前記マイコン２６によって動作モードが省電力動作モードに自動的に切り替えられるため，前記レコーダーＸにおいて無駄な電力消費が防止される。ここに，前記条件が充足された場合に前記レコーダーＸの電源状態を自動的に変動させるときの前記マイコン２６が，電源状態自動変動手段に相当する。
なお，本実施の形態では，前記レコーダーＸの動作モードが自動的に切り替えられる例について述べたが，前記レコーダーＸの電源の入切が自動的に切り替えられることも他の実施例として考えられる。この場合にも，前記レコーダーＸにおける無駄な電力消費が防止される。
【００２４】
ところで，前記ステップＳ３において，前記電源入り指令が，使用者による所定の操作入力によって入力されたものであると判断された場合に実行されるステップＳ２１では，前記データ記憶部２３に前記検知時刻や前記変動時刻が記憶されているか否かが前記マイコン２６によって判断される。ここで，前記検知時刻や前記変動時刻が記憶されていると判断されると（Ｓ２１のＹｅｓ側），処理はステップＳ２２に移行し，前記検知時刻や前記変動時刻が記憶されていないと判断されると（Ｓ２１のＮｏ側），当該電源制御処理は終了される。
【００２５】
ステップＳ２２では，前記マイコン２６によって前記データ記憶部２３から前記検知時刻や前記変動時刻が読み出され，前記表示パネル２５に出力される。即ち，前記ステップＳ３において，前記電源入り指令が，使用者による所定の操作入力によって入力されたものであると判断された場合にのみ，前記検知時刻や前記変動時刻が前記表示パネル２５に表示される。ここに，かかる出力処理を実行するときの前記マイコン２６が変動情報出力手段に相当する。
これにより，例えば前記通信不可状態が検知されたことやその検知時刻，前記動作モードが自動的に切り替えられたことやその変動時刻などの変動情報が，前記マイコン２６によって前記表示パネル２５に表示されるため，使用者は容易に前記各情報を知得することができる。なお，前記表示パネル２５は所定の表示手段の一例であって，これに限られず，前記変動情報が前記レコーダーＸに接続された不図示のテレビジョン受像機に出力されて該テレビジョン受像機においてＯＳＤ表示されることも他の実施例として考えられる。また，前記表示パネル２５に設けられたＬＥＤ等を点灯或いは点滅させることによって，前記通信不可状態が検知されたことや前記動作モードが自動的に切り替えられたことを簡易的に表示してもかまわない。
その後，ステップＳ２３において，前記データ記憶部２３に記憶された前記検知時刻や前記変動時刻などの変動情報は消去され，当該電源制御処理は終了される。なお，前記変動情報は，前記データ記憶部２３に履歴として蓄積してもかまわない。この場合，前記ステップＳ２１で，前記データ記憶部２３に蓄積された変動情報が更新されたか否かを判断するように構成すればよい。
【実施例】
【００２６】
前記実施の形態では，前記チューナー装置Ｙによって前記レコーダーＸの動作が制御される例について説明した。本実施例では，前記レコーダーＸによって前記チューナー装置Ｙの動作が制御される場合について説明する。この場合，前記チューナー装置Ｙが本発明に係る電子機器に相当する。なお，前述したように，前記チューナー装置Ｙは，不図示のテレビジョン受像機に設けられたものであってもよい。
【００２７】
具体的には，前記レコーダーＸから前記チューナー装置Ｙに電源入り指令が送信されることにより，該チューナー装置Ｙの動作モードが省電力動作モードから通常動作モードに切り替えられ，前記レコーダーＸから前記チューナー装置Ｙに電源切り指令が送信されることにより，該チューナー装置Ｙの動作モードが通常動作モードから省電力動作モードに切り替えられる。なお，前記各切り替え処理は，前記マイコン１５によって実行される。ここに，前記チューナー装置Ｙの省電力動作モードとは，例えば前記デジタルチューナー１１や前記データ分離部１２，前記システムデコーダー１３等の電源が切られた状態をいう。したがって，前記レコーダーＸでは，前記チューナー装置Ｙが通常動作モードで動作している場合にのみ，該チューナー装置Ｙから前記ケーブル４を介して前記デジタルテレビジョン放送を受信して録画することができる。
【００２８】
以下，前記レコーダーＸから前記チューナー装置Ｙに前記電源入り指令が送信されることにより，該チューナー装置Ｙの動作モードが通常動作モードに切り替えられた後，前記ケーブル４が抜けたことにより前記レコーダーＸと前記チューナー装置Ｙとの通信接続が切られた場合に，前記チューナー装置Ｙのマイコン１５によって実行される処理について説明する。
まず，この場合にも，前記実施の形態で説明したように，前記ケーブル４による通信接続の切断が検知され，前記チューナー装置Ｙが通常動作モードに切り替えられてから所定の時間が経過するという条件が充足された場合に，該チューナー装置Ｙの動作モードを自動的に省電力動作モードに切り替えることが考えられる。しかし，これでは前記ケーブル４による通信接続の切断が一時的なものである場合や，前記切断の検知が誤検知である場合にも，前記レコーダーＸで録画中の番組が途切れてしまうおそれがある。
【００２９】
そこで，前記チューナー装置Ｙでは，前記デジタルチューナー１１，前記データ分離部１２及びシステムデコーダー１３によって取得される前記電子番組情報に基づいて，当該チューナー装置Ｙで現在受信中の番組，即ち前記レコーダーＸに伝送中の番組が終了するまでの間，前記通常動作モードを維持するように構成することが考えられる。このとき，前記レコーダーＸに伝送中の番組は，前記マイコン１５によって前記電子番組情報に基づいて識別される。ここに，かかる識別処理を実行するときの前記マイコン１５が番組識別手段に相当する。
即ち，本実施例に係る前記チューナー装置Ｙでは，前記レコーダーＸとの通信不可状態が生じてから，前記レコーダーＸに伝送中の番組の終了という条件が充足された後，前記マイコン１５によって，前記チューナー装置Ｙの動作モードが通常動作モードから省電力動作モードに切り替えられる。ここに，前記切り替え処理を実行するときの前記マイコン１５が電源状態自動変動手段に相当する。
これにより，前記ケーブル４による通信接続の切断が一時的なものである場合や，前記切断の検知が誤検知である場合に，前記レコーダーＸにおいて前記番組をその終了まで録画することができる。しかも，前記チューナー装置Ｙでは，前記番組の終了後の余分な電力消費が確実に防止される。
【００３０】
また，前記レコーダーＸとの通信不可状態が生じたことや，該検知時刻，該検知時の番組の内容，前記チューナー装置Ｙの動作モードが通常動作モードから省電力動作モードに自動的に切り替えられたこと，該切り替え時刻，該切り替え時の番組の内容などの変動情報は，前記マイコン１５によって前記チューナー装置Ｙに設けられた所定の記憶部（不図示，変動情報記憶手段の一例）に記憶される。
そして，前記チューナー装置Ｙでは，次に使用者によって前記チューナー装置Ｙに電源入り指令が入力された場合に，前記所定の記憶部（不図示）に記憶された変動情報が前記チューナー装置Ｙに設けられた所定の表示装置（不図示）や該チューナー装置Ｙが接続されたテレビジョン受像機（不図示）などに前記マイコン１５によって出力される。ここに，かかる出力処理を実行するときの前記マイコン１５が，変動情報出力手段に相当する。
これにより，使用者は，例えばどの番組の録画中に前記レコーダーＸとの通信不可状態が生じたかなどを容易に知得することができる。
【図面の簡単な説明】
【００３１】
【図１】本発明の実施の形態に係るハードディスクレコーダーを備えたテレビジョン放送録画システムの概略構成を示すブロック図。
【図２】本発明の実施の形態に係るハードディスクレコーダーにおいて実行される電源制御処理の手順の一例を説明するフローチャート。
【符号の説明】
【００３２】
Ｘ…ハードディスクレコーダー（電子機器の一例）
Ｙ…デジタルチューナー装置（電子機器の一例）
１１…デジタルチューナー
１２…データ分離部
１３…システムデコーダー
１４…ＩＥＥＥ１３９４インターフェース
１５…マイコン
２１…ＩＥＥＥ１３９４インターフェース
２２…ハードディスク
２３…データ記憶部（変動情報記憶手段の一例）
２４…計時装置
２５…表示パネル
２６…マイコン
２７…電源制御部
【図１】
2007110358.tif 000003
【図２】
2007110358.tif 000004